(57)【要約】      （修正有）【課題】コントローラーによるゲームを行っていた状態から、事務作業を行う状態に移行する作業、及び事務作業を行っていた状態からコントローラーによるゲームを行う状態に移行する作業が容易な多機能机を提供する。【解決手段】多機能机１０を、天板１２と、天板１２を空中に支持する脚部１６と、天板１２の下方に設けられた回転軸と、天板１２の下方に設けられた回転板３２と、回転板３２を、天板１２の前方に突出した状態で、天板１２に固定し又は固定を解除するように構成された第１固定具３４と、回転板３２を、天板１２の下方に後退した状態で、天板１２に固定し又は固定を解除するように構成された第２固定具と、を備えて構成した。【選択図】図１
2020130547.tif 000002
【特許請求の範囲】
【請求項１】
正面側である前方に位置する人がゲームを行うための多機能机であり、
天板と、
前記天板を空中に支持する脚部と、
前記天板の下方に設けられ、該天板に対して平行な回転軸と、
前記天板の下方に設けられ、前記回転軸を回転中心として回転することにより、該天板の前方に突出し、又は該天板の下方に後退するように構成された回転板と、
前記回転板を、前記天板の前方に突出した状態で、該天板に固定し又は固定を解除するように構成された第１固定具と、
前記回転板を、前記天板の下方に後退した状態で、該天板に固定し又は固定を解除するように構成された第２固定具と、
を備えた多機能机。
【請求項２】
前記天板の下方であって前記回転板の上方に設けられ、該天板に対して平行にスライドすることにより、該天板の前方に突出し又は該天板の下方に後退するように構成されたスライド板を備えた請求項１に記載する多機能机。
【請求項３】
前記スライド板を前記天板の前方に突出した状態に固定するように構成された第３固定具を備えた請求項２に記載する多機能机。
【請求項４】
前記脚部は、
前記天板と垂直な棒状であり、該天板の隅部近辺に固定された４本の支持棒と、
一端及び他端を有する棒状であり、該一端が前記天板に固定され、該他端が前記支持棒の下端に固定され、正面視及び側面視において斜めに延びる４本の筋交と、
を備え、
正面視において左側に位置する２本の筋交は互いに交叉し固定され、正面視において右側に位置する２本の筋交は互いに交叉し固定された請求項１〜３のいずれかに記載する多機能机。
【請求項５】
前記第１固定具は、前記回転板の水平方向の移動を規制する水平方向規制手段と、該回転板が前記回転軸を回転中心として上方向に回転するのを規制する上方向回転規制手段と、該回転板が該回転軸を回転中心として下方向に回転するのを規制する下方向回転規制手段と、を備えた請求項１〜４のいずれかに記載する多機能机。
【請求項６】
前記天板は、平面視において、凹部を有するＵの字形状であり、前記回転板は、前記回転軸を回転中心として回転することにより、平面視における該天板の該凹部内である前記天板の前方に突出する請求項１〜５のいずれかに記載する多機能机。
【発明の詳細な説明】
【技術分野】
【０００１】
本願発明は、ゲームを行うことのできる多機能机に関する。
【背景技術】
【０００２】
従来から、学習机や事務机に、操縦機等のコントローラーを設置して、コントローラーによるゲームが行われている。また、学習机や事務机の上に、パソコン本体、ディスプレイ及びキーボードを載置した状態で、事務作業が行われている。
【０００３】
しかし、従来の学習机や事務机は、コントローラーによるゲームを行っていた状態から事務作業を行う状態に移行する時、コントローラーとゲーム機及びＰＣ（パソコン）との接続線をディスプレイから取り外し、コントローラーを学習机等の上から取り除いて、学習机等の上にキーボード及びマウスを載置する必要があった。このため、コントローラーによるゲームを行っていた状態から、事務作業を行う状態に移行する作業は煩雑であった。また、事務作業を行っていた状態からコントローラーによるゲームを行う状態に移行する時、キーボード及びマウスを学習机等の上から取り除いて、コントローラーを学習机等に設置し、コントローラーをゲーム機及びＰＣに通信可能に接続する必要があった。このため、事務作業を行っていた状態からコントローラーによるゲームを行う状態に移行する作業は煩雑であった。なお、ゲームを行うことを考慮した学習机について特許出願が行われているが（例えば、特許文献１参照）、本願発明に関連するものではない。
【先行技術文献】
【特許文献】
【０００４】
【特許文献１】特開２００８−２６４１８８号公報
【発明の概要】
【発明が解決しようとする課題】
【０００５】
本願発明は、コントローラーによるゲームを行っていた状態から、事務作業を行う状態に移行する作業、及び事務作業を行っていた状態からコントローラーによるゲームを行う状態に移行する作業が容易な多機能机を提供することを目的とする。
【課題を解決するための手段】
【０００６】
本願発明の多機能机は、正面側である前方に位置する人がゲームを行うための多機能机であり、
天板と、前記天板を空中に支持する脚部と、前記天板の下方に設けられ、該天板に対して平行な回転軸と、該天板の下方に設けられ、前記回転軸を回転中心として回転することにより、該天板の前方に突出し、又は該天板の下方に後退するように構成された回転板と、前記回転板を、前記天板の前方に突出した状態で、該天板に固定し又は固定を解除するように構成された第１固定具と、前記回転板を、前記天板の下方に後退した状態で、該天板に固定し又は固定を解除するように構成された第２固定具と、を備えたことを特徴とする。
【０００７】
請求項２に記載する本願発明の多機能机は、前記多機能机において、前記天板の下方であって前記回転板の上方に設けられ、該天板に対して平行にスライドすることにより、該天板の前方に突出し又は該天板の下方に後退するように構成されたスライド板を備えたことを特徴とする。
【０００８】
請求項３に記載する本願発明の多機能机は、前記多機能机において、前記スライド板を前記天板の前方に突出した状態に固定するように構成された第３固定具を備えたことを特徴とする。
【０００９】
請求項４に記載する本願発明の多機能机は、前記多機能机において、前記脚部は、前記天板と垂直な棒状であり、該天板の隅部近辺に固定された４本の支持棒と、一端及び他端を有する棒状であり、該一端が前記天板に固定され、該他端が前記支持棒の下端に固定され、正面視及び側面視において斜めに延びる４本の筋交と、を備え、
正面視において左側に位置する２本の筋交は互いに交叉し固定され、正面視において右側に位置する２本の筋交は互いに交叉し固定されたことを特徴とする。
【００１０】
請求項５に記載する本願発明の多機能机は、前記多機能机において、前記第１固定具は、前記回転板の水平方向の移動を規制する水平方向規制手段と、該回転板が前記回転軸を回転中心として上方向に回転するのを規制する上方向回転規制手段と、該回転板が該回転軸を回転中心として下方向に回転するのを規制する下方向回転規制手段と、を備えたことを特徴とする。
【００１１】
請求項６に記載する本願発明の多機能机は、前記多機能机において、前記天板は、平面視において、凹部を有するコの字形状であり、前記回転板は、前記回転軸を回転中心として回転することにより、平面視における該天板の該凹部内である前記前方に突出することを特徴とする。
【発明の効果】
【００１２】
本願発明の多機能机によれば、回転板を、天板の前方に突出させて第１固定具によって天板に固定することができる。回転板にコントローラーを固定しておけば、コントローラーを回転板に固定した状態で、ゲームを行うことができる。また、コントローラーを回転板に固定した状態で、第１固定具による回転板の固定を解除し、コントローラーを固定した回転板を、回転させ、天板の下方に後退させ、第２固定具によって天板に固定した状態で、天板の上のキーボード及びディスプレイによって事務作業を行うことができる。なお、パソコン本体は、床上又は天板上に載置されている。このため、コントローラーを取り外す作業を伴うことなく、コントローラーによるゲームを行っていた状態から、事務作業を行う状態に容易に移行することができる。また、コントローラーを回転板に固定した状態で、第２固定具による回転板の固定を解除し、コントローラーを固定した回転板を、回転させ、天板の前方に突出させ、第１固定具によって天板に固定した状態で、コントローラーによるゲームを行うことができる。このため、コントローラーを取り付ける作業を伴うことなく、事務作業を行っていた状態から、コントローラーによるゲームを行う状態に容易に移行することができる。
【図面の簡単な説明】
【００１３】
【図１】本願発明に係る多機能机を示す図であり、同図（ａ）は平面図であり、同図（ｂ）は正面図である。
【図２】図１に示す多機能机の要部拡大正面図である。
【図３】図１に示す多機能机のＡ−Ａ線切断部拡大断面図である。
【図４】図１に示す多機能机を構成する第１固定具を示す図であり、同図（ａ）は拡大正面図であり、同図（ｂ）は正面視手前のフレームを取り外した状態の拡大正面断面図である。
【図５】図１に示す多機能机のＡ−Ａ線切断部要部拡大断面図である。
【図６】図１に示す多機能机を構成する第１固定具を示し、正面視手前のフレームを取り外した状態の図であり、同図（ａ）はレバーを持ち上げる状態を示す拡大正面断面図であり、同図（ｂ）は係合機構を被係合機構から離脱させる状態を示す拡大正面断面図である。
【図７】図１に示す多機能机を構成する第１固定具を示し、正面視手前のフレームを取り外した状態の図であり、同図（ａ）は回転板を持ち上げる状態を示す拡大正面断面図であり、同図（ｂ）は係合機構を被係合機構に係合する状態を示す拡大正面断面図である。
【図８】本願発明に係る多機能机の他の実施形態を示す平面図である。
【発明を実施するための形態】
【００１４】
次に、本願発明の実施形態について、図面に基づいて詳細に説明する。図１〜図３において、符号１０は本願発明の多機能机を示す。
【００１５】
（多機能机１０の構成）
（天板１２）
多機能机１０は、天板１２を備える。天板１２は、図１（ｂ）に示すように、ディスプレイ１００及びキーボード１０２等を載置するためのものである。天板１２の材質は、木材、樹脂又は金属等、特に限定されないが、運搬容易なように、軽量な木材が好ましい。天板１２は、図１（ａ）に示すように、平面視において、後述の回転板３２に取り付けたコントローラー１０４（図１（ｂ）に示す）を操作するための凹部１４を有するＵの字形状である。
【００１６】
（垂下部材３０）
天板１２の下面２８には、正面視において左右２個の垂下部材３０が固定されている。垂下部材３０等は、後述する筋交２２（１）（ａ）等を固定するためのものである。
【００１７】
（脚部１６）
多機能机１０は、天板１２を空中に支持する脚部１６を備える。脚部１６は、天板１２と垂直であり、棒状の４本の支持棒１８（１）（ａ）、１８（１）（ｂ）、１８（２）（ａ）及び１８（２）（ｂ）を備える。図１（ｂ）において、支持棒１８（１）（ｂ）は支持棒１８（１）（ａ）よりも奥側に位置し、支持棒１８（２）（ｂ）は支持棒１８（２）（ａ）よりも奥側に位置する。４本の支持棒１８（１）（ａ）等は、天板１２の４個の隅部２０（１）（ａ）、２０（１）（ｂ）、２０（２）（ａ）及び２０（２）（ｂ）近辺に固定されている。４本の支持棒１８（１）（ａ）等の材質は、木材、樹脂又は金属等、特に限定されないが、天板１２を安定して支持できるように、強度の高い金属又は樹脂が好ましい。４本の支持棒１８（１）（ａ）等は、上端１８（ア）に備える雄螺子ｅ（図２に示す）を天板１２の下面２８に形成された雌螺子に螺入することにより、天板１２の下面２８に固定されている。
【００１８】
脚部１６は、正面視及び側面視において斜めに延びる４本の棒状の筋交２２（１）（ａ）、２２（１）（ｂ）、２２（２）（ａ）及び２２（２）（ｂ）を備える。４本の筋交２２（１）（ａ）等の材質は、木材、樹脂又は金属等、特に限定されないが、天板１２を安定して支持できるように、強度の高い金属又は樹脂が好ましい。筋交２２（１）（ａ）等は、図２に示すように、一端２２（ア）及び他端２２（イ）を有する。一端２２（ア）は、一端２２（ア）に設けられた突起片ｆが、ボルト（雄螺子）ｇによって垂下部材３０に固定されている。また、他端２２（イ）に設けられた突起片ｆｆが、雄螺子ｇｇと、支持棒１８（１）（ａ）等の下端１８（イ）と、によって挟持されることにより、他端２２（イ）が、支持棒１８（１）（ａ）等の下端１８（イ）に固定されている。正面視において左側に位置する２本の筋交２２（１）（ａ）及び２２（１）（ｂ）（図１（ｂ）に示す）は、側面視において、互いに交叉する。筋交２２（１）（ａ）及び２２（１）（ｂ）の中間部同士が、ボルトｈによって固定されている。正面視において右側に位置する２本の筋交２２（２）（ａ）及び２２（２）（ｂ）（図１（ｂ）に示す）も同様に、側面視において、互いに交叉する。筋交２２（２）（ａ）及び２２（２）（ｂ）の中間部同士が、ボルトｈによって固定されている。脚部１６は、運搬容易なように、重量物である板状部材ではなく、棒状の支持棒２０及び筋交２２から構成されている。
【００１９】
（回転軸２６）
多機能机１０は、図２及び図３に示すように、天板１２及び正面に対して平行な回転軸２６を備える。回転軸２６は、垂下部材３０に対して回転可能に垂下部材３０に係合されている。回転軸２６は、天板１２の下方において回転するように構成されている。
【００２０】
（回転板３２）
多機能机１０は、回転軸２６に固定された回転板３２を備える。回転板３２は、図１（ｂ）に示すように、操縦機等のコントローラー１０４を設置してゲームを行うためのものである。回転板３２は、天板１２の下方において、回転軸２６を回転中心として回転することにより、平面視において天板１２の凹部１４内に突出し、天板１２の前方に突出するように構成されている。図１〜図３においては、回転板３２が天板１２の前方に突出している状態を示している。また、回転板３２は、図５に示すように、回転軸２６を回転中心として回転することにより、天板１２の下方に後退するように構成されている。
【００２１】
（第１固定具３４）
多機能机１０は、回転板３２を天板１２の前方に突出した状態に固定する第１固定具３４を備える。第１固定具３４は、左右２個のロック装置３６（図２及び図４に示す）から構成されている。ロック装置３６は、図４に示すように、垂下部材３０の側面に固定された被係合部材３８と、回転板３２上に固定され、被係合部材３８が係合される係合機構４０と、から構成されている。
【００２２】
被係合部材３８は、図４に示すように、平面視において全体がＵ字形状のＵ字金具４２と、Ｕ字金具４２を固定し、垂下部材３０の側面にボルト（図示しない）によって固定された固定板４４と、から構成されている。Ｕ字金具４２の断面は円形である。
【００２３】
（係合機構４０（水平方向規制手段、上方向回転規制手段、下方向回転規制手段））
係合機構４０は、図４に示すように、回転板３２上にボルト（図示しない）によって固定された互いに平行な２枚のフレーム４６と、２枚のフレーム４６の間に取り付けられ、２枚のフレーム４６に対して回動する第１回動部材４８と、２枚のフレーム４６の間に取り付けられ、２枚のフレーム４６に対して回動し、第１回動部材４８に係合された第２回動部材５０と、第２回動部材５０を第１回動部材４８に連結する引張バネ５２と、から構成されている。
【００２４】
２枚のフレーム４６は、第１回動部材４８の回動中心を構成する第１回動軸５４と、第２回動軸５０の回動中心を構成する第２回動軸５６と、を備えている。また、２枚のフレーム４６は、Ｕ字金具４２が挿入される凹部５８が、設けられている。
【００２５】
凹部５８の水平方向（Ｘ軸方向）の幅Ｗ１は、図４（ａ）に示すように、Ｕ字金具４２の断面の直径と同一である。このため、凹部５８は、回転板３２に固定されたフレーム４６の水平方向の移動を規制し、回転板３２の水平方向の移動を規制するように構成されている。すなわち、凹部５８を備える係合機構４０は、回転板３２の水平方向の移動を規制する水平方向規制手段として機能するように構成されている。なお、回転板３２に固定され垂下部材３０に対して回転する回転軸２６も、水平方向規制手段として機能する。凹部５８の下面５９は、フレーム４６のＵ字金具４２に接触するように構成されている。これにより、回転板３２に固定されたフレーム４６の上方向（回転板３２が回転軸２６を回転中心として上に回転する方向）の移動を規制し、回転板３２の上方向の移動を規制するように構成されている。すなわち、凹部５８を備える係合機構４０は、回転板３２が回転軸２６を回転中心として上方向に回転するのを規制する上方向回転規制手段として機能するように構成されている。
【００２６】
第１回動部材４８は、係合突起６０を備え、第２回動部材５０は、係合突起６０が入り込む係合凹部６２を備えている。係合突起６０は、係合斜面６４を備え、係合凹部６２は、係合斜面６４に接触し係合する係合斜面６６を備えている。第１回動部材４８は、第１回動部材４８を反時計まわりに回動させるためのレバー６８を備えている。第２回動部材５０は、Ｕ字金具４２が挿入される凹部７０が、設けられている。凹部７０のＺ軸方向の幅Ｗ２は、図４（ｂ）に示すように、Ｕ字金具４２の断面の直径と同一である。また、第２回動部材５０は、係合機構４０がＵ字金具４２から離脱されている状態から係合機構４０をＵ字金具４２に取り付けるための（詳細は後述する）押圧斜面７１及び被押圧突起部７３が設けられている。
【００２７】
係合機構４０は、図４（ｂ）に示すように、回転板３２、及び回転板３２に取り付ける後述するコントローラーの荷重により、Ｕ字金具４２から第２回動部材５０に垂直方向（Ｚ軸方向）の力Ｎが付勢されると、第２回動部材５０に反時計まわりの回転トルクＴが付勢されるが、第１回動部材４８の係合斜面６４と第２回動部材５０の係合斜面６６とが係合されているため、第１回動軸５４からの抗力Ｐによって、第２回動部材５０は反時計まわりに回動しない。係合機構４０が下方向へ移動するには、第２回動部材５０が反時計まわりに回動して第１回動部材４８から離脱する必要があるが、係合斜面６４と係合斜面６６との係合状態が解除されない限り、第２回動部材５０は反時計まわりに回動しないように構成されている。係合機構４０は、回転板３２に固定された係合機構４０の下方向（回転板３２が回転軸２６を回転中心として下方向に回転する方向）の移動を規制し、回転板３２の下方向の移動を規制するように構成されている。すなわち、係合機構４０は、回転板３２が回転軸２６を回転中心として下方向に回転するのを規制する下方向回転規制手段として機能するように構成されている。
【００２８】
第１固定具３４は、図６（ａ）に示すように、レバー６８を押し上げ、第１回動部材４８を反時計まわりに回動させ、係合斜面６４を第２回動部材５０の係合斜面６６から離脱させることができるように構成されている。第１固定具３４は、係合斜面６４が係合斜面６６から離脱した状態から、回転板３２を降下（反時計回りに回転）させ、Ｕ字金具４２に、第２回動部材５０の凹部７０を上へ押圧させ、図６（ｂ）に示すように、第２回動部材５０を反時計まわりに回転させ、係合機構４０をＵ字金具４２から離脱できるように構成されている。すなわち、第１固定具３４は、レバー６８を押し上げるだけで、第１回動部材４８と第２回動部材５０との係合を解除し、係合機構４０をＵ字金具４２から離脱できるように構成されている。
【００２９】
以上、係合機構４０をＵ字金具４２から離脱させる場合について説明したが、以下に、係合機構４０をＵ字金具４２に係合する場合について説明する。第１固定具３４は、図７（ａ）及び（ｂ）に示すように、回転板３２を持ち上げて、Ｕ字金具４２から離脱した状態の係合機構４０をＵ字金具４２に係合することができるように構成されている。第１固定具３４は、図７（ａ）に示すように、回転板３２を持ち上げて、図７（ｂ）に示すように、Ｕ字金具４２をフレーム４６の凹部５８に係合しながら、Ｕ字金具４２により第２回動部材５０の被押圧突起部７３を押圧し、第２回動部材５０の押圧斜面７１を第１回動部材４８の係合突起６０に押し当てるように構成されている。第１固定具３４は、押圧斜面７１を係合突起６０に押し当てることにより、図７（ｂ）に示すように、第２回動部材５０を時計まわりに回転させた後、第２回動部材５０の係合斜面６４を第１回動部材４８の係合突起６０の下方に移動させ、図４（ｂ）に示すように、係合機構４０をＵ字金具４２に係合することができるように構成されている。すなわち、第１固定具３４は、回転板３２を持ち上げることのみによって、係合機構４０をＵ字金具４２に係合し、回転板３２をＵ字金具４２に固定できるように構成されている。
【００３０】
（第２固定具７２）
多機能机１０は、回転板３２を天板１２の下方に後退した状態に固定する第２固定具７２を備える。第２固定具７２は、図３に示すように、垂下部材３０に固定されたマグネット７４と、回転板３２の下面に固定された金属板７６と、から構成されている。第２固定具７２は、回転板３２を回転させ、図５に示すように、回転板３２を天板１２の下方に後退した状態にして、金属板７６をマグネット７４に磁着できるように構成されている。すなわち、第２固定具７２は、回転板３２を回転させることのみで、回転板３２を天板１２の下方に後退した状態に固定できるように構成されている。回転板３２を天板１２の下方に後退したときに、図５に示すように、回転板３２が斜め方向となるように、マグネット７４は、斜め方向（天板１２に対して平行ではない）に垂下部材３０に固定されている。回転板３２に取り付けるコントローラー及びゲーム部品の汎用性を高めるために、回転板３２をマグネット７４に固定したときに、回転板３２の上部により多くの空間を生じさせるためである。なお、マグネット７４は、作業性（収納性又はセッティング）の向上のためである。マグネット７４は、長期間使用しない場合のために、例えば、第２固定具７２にフックを設け、そのフックにより、回転板３２を固定するように構成してもよい。第２固定具７２の構成を第１固定具３４の構成と同じにしてもよい。マグネット７４の垂下部材３０への固定方法は、特に限定されない。
【００３１】
（スライド板７８）
多機能机１０は、図３に示すように、天板１２に対して平行にスライドすることにより、天板１２の前方に突出し又は天板１２の下方に後退するように構成されたスライド板７８を備えている。スライド板７８は、天板１２の前方に突出させてキーボードやマウス等のパソコン機器等を載置するためのものである。スライド板７８は、垂下部材３０に固定されたレール７９に沿ってスライドするように構成されている。スライド板７８は、天板１２の下方であって回転板３２の上方に設けられている。スライド板７８は、スライド板７８と天板１２との隙間が、キーボードやマウス等を載せた状態で収納できる間隔を有することが望ましい。
【００３２】
（第３固定具８０）
多機能机１０は、図２及び図５に示すように、スライド板７８を天板１２の前方に突出した状態に固定するように構成された第３固定具８０を備えている。第３固定具８０は、天板１２の下面２８に固定された金属製の垂直板８２と、スライド板７８の前方側端部に固定され、垂直板８２に磁着するマグネット８４とから構成されている。なお、垂直板８２には、ヘッドホン（図示しない）を引っ掛けるヘッドホン掛け８６（図２に示す）を備える。
【００３３】
（作用及び効果）
本願発明の多機能机１０は、図１に示すように、天板１２上に、一又は複数のディスプレイ１００、キーボード１０２、パソコン本体、外部メモリ等を載置し、回転板３２にコントローラー１０４を固定した状態で、コントローラー１０４によるゲームが行われる。ゲームの内容はディスプレイ１００に表示される。この時、回転板３２は、天板１２の前方（天板１２の凹部１４の下部）に突出した状態で、第１固定具３４により垂下部材３０及び天板１２に固定されている。この時、スライド板７８は、天板１２の下に後退している。コントローラーは、ハンドル操作を行うタイプ、戦闘機等のレバー操作を行うタイプ等、種々のタイプのものがある。操作者は、好む１又は複数のコントローラーを選択して回転板３２に設置する。
【００３４】
コントローラー１０４によるゲームを行っていた状態から、事務作業を行う状態に移行するとき、図６（ａ）に示すように、コントローラー１０４又は回転板３２が手で保持された状態で、係合機構４０のレバー６８が押し上げられ、図６（ｂ）に示すように、係合機構４０が被係合部材３８のＵ字金具４２から離脱する。回転板３２は、図５に示すように、反時計まわりに回転させられ、回転板３２に固定された金属板７６が、垂下部材３０に固定されたマグネット７４に磁着する。これにより、回転板３２は、天板１２の下方に後退した状態で、垂下部材３０及び天板１２に固定され、回転板３２に固定されたコントローラー１０４は、天板１２の下方に後退した状態で、垂下部材３０及び天板１２に固定される。天板１２上のディスプレイ１００及びキーボード１０２により、多機能机１０を用いた事務作業が行われる。
【００３５】
本願発明の多機能机１０によれば、係合機構４０のレバー６８を押し上げることのみにより、回転板３２の垂下部材３０及び天板１２への固定状態を解除できる。また、コントローラー１０４が固定された回転板３２を反時計まわりに回転させて、コントローラー１０４を天板１２の下方に固定できる。このため、コントローラー１０４を多機能机１０から取り外すことなく、コントローラー１０４によるゲームを行っていた状態から、事務作業を行う状態に容易に移行することができる。
【００３６】
多機能机１０を用いて事務作業を行っていた状態から、コントローラー１０４によるゲームを行う状態に移行するとき、コントローラー１０４又は回転板３２が手で保持された状態で、天板１２の下方に後退した状態の回転板３２が時計まわりに回転させられ、図７（ａ）及び（ｂ）に示すように、回転板３２が持ち上げられ、Ｕ字金具４２から離脱した状態の係合機構４０がＵ字金具４２に係合され、回転板３２は、天板１２の前方に突出する状態で、垂下部材３０及び天板１２に固定される。コントローラー１０４によるゲームが行われる。
【００３７】
本願発明の多機能机１０によれば、コントローラー１０４が固定された回転板３２を、時計まわりに回転させ、天板１２の前方に突出させて、垂下部材３０及び天板１２に固定することができる。このため、コントローラー１０４を固定する作業を行うことなく、多機能机１０を用いて事務作業を行っていた状態から、コントローラー１０４によるゲームを行う状態に、容易に移行できる。
【００３８】
また、本願発明の多機能机１０によれば、脚部１６が天板と垂直方向（Ｚ軸方向）の４本の支持棒と、正面視及び側面視において斜めに延びる４本の筋交と、から構成され、Ｘ軸、Ｙ軸及びＺ軸方向の負荷に耐えることができ、回転板３２及び天板１２等が、Ｘ軸、Ｙ軸及びＺ軸方向に振動又は揺動することはない。しかも、第１固定具３４は、コントローラー１０４が固定された回転板３２の水平方向の移動を規制する水平方向規制手段と、回転板３２が回転軸２６を回転中心として上方向に回転するのを規制する上方向回転規制手段と、回転板３２が回転軸２６を回転中心として下方向に回転するのを規制する下方向回転規制手段と、を備える。このため、コントローラー１０４の操縦ハンドルを強く動かしても、コントローラー１０４が固定された回転板３２がＸ軸、Ｙ軸及びＺ軸方向に振動又は揺動することはない。ここで、ゲームは、コントローラー１０４の操縦ハンドルや釦の微細な動きによってゲームの流れや勝負に影響を与える。しかし、多機能机１０によれば、回転板３２等がＸ軸、Ｙ軸及びＺ軸方向に振動又は揺動しないことにより、コントローラー１０４の操縦ハンドルや釦が、Ｘ軸、Ｙ軸及びＺ軸方向に振動又は揺動することはないため、コントローラー１０４の操作を正確に行える。スライド板７８についても、マグネット８４で固定するため、揺動することがなく、正確なマウス操作を行うことができる。
【００３９】
以上、本願発明の一実施形態について説明したが、本願発明は上述の実施形態に限定されない。例えば、天板１２の形状は、図８に示すように、平面視において、Ｕの字形状でなく長方形であってもよい。この場合、回転板３２は、天板１２の前方に突出する程度の大きさに形成されて構成される。
【００４０】
以上、本願発明の一実施形態について図面に基づいて説明したが、本願発明は図示した実施形態に限定されない。例えば、スライド板７８は、特に設けなくともよい。また、第１固定具は、回転板３２を天板１２に強固に固定できるものであれば、固定具３２に限定されない。
【符号の説明】
【００４１】
１０：多機能机
１２：天板
１４：凹部
１６：脚部
１８：上端
１８：下端
２０：支持棒
２２：筋交
２６：回転軸
２８：下面
３０：垂下部材
３２：回転板
３４：第１固定具
３６：ロック装置
３８：被係合部材
４０：係合機構
４２：Ｕ字金具
６８：レバー
７２：第２固定具
７４：マグネット
７６：金属板
７８：スライド板
８０：第３固定具
８２：垂直板
８４：マグネット
１００：ディスプレイ
１０２：キーボード
１０４：コントローラー
【図１】
2020130547.tif 000003
【図２】
2020130547.tif 000004
【図３】
2020130547.tif 000005
【図４】
2020130547.tif 000006
【図５】
2020130547.tif 000007
【図６】
2020130547.tif 000008
【図７】
2020130547.tif 000009
【図８】
2020130547.tif 000010
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
正面側である前方に位置する人がゲームを行うための多機能机であり、
天板と、
前記天板を空中に支持する脚部と、
前記天板の下方に設けられ、該天板に対して平行な回転軸と、
前記天板の下方に設けられ、前記回転軸を回転中心として回転することにより、該天板の前方に突出し、又は該天板の下方に後退するように構成された回転板と、
前記回転板を、前記天板の前方に突出した状態で、該天板に固定し又は固定を解除するように構成された第１固定具と、
前記回転板を、前記天板の下方に後退した状態で、該天板に固定し又は固定を解除するように構成された第２固定具と、
前記天板の下方であって前記回転板の上方に設けられ、該天板に対して平行にスライドすることにより、天板の前方に突出し又は該天板の下方に後退するように構成されたスライド板と、
を備えた多機能机。
【請求項２】
前記スライド板を前記天板の前方に突出した状態に固定するように構成された第３固定具を備えた請求項１に記載する多機能机。
【請求項３】
前記脚部は、
前記天板と垂直な棒状であり、該天板の隅部近辺に固定された４本の支持棒と、
一端及び他端を有する棒状であり、該一端が前記天板に固定され、該他端が前記支持棒の下端に固定され、正面視及び側面視において斜めに延びる４本の筋交と、
を備え、
正面視において左側に位置する２本の筋交は互いに交叉し、正面視において右側に位置する２本の筋交は互いに交叉し固定された請求項１又は２に記載する多機能机。
【請求項４】
前記第１固定具は、前記回転板の水平方向の移動を規制する水平方向規制手段と、該回転板が前記回転軸を回転中心として上方向に回転するのを規制する上方向回転規制手段と、該回転板が該回転軸を回転中心として下方向に回転するのを規制する下方向回転規制手段と、を備えた請求項１〜３のいずれかに記載する多機能机。
【請求項５】
正面側である前方に位置する人がゲームを行うための多機能机であり、
天板と、
前記天板を空中に支持する脚部と、
前記天板の下方に設けられ、該天板に対して平行な回転軸と、
前記天板の下方に設けられ、前記回転軸を回転中心として回転することにより、該天板の前方に突出し、又は該天板の下方に後退するように構成された回転板と、
前記回転板を、前記天板の前方に突出した状態で、該天板に固定し又は固定を解除するように構成された第１固定具と、
前記回転板を、前記天板の下方に後退した状態で、該天板に固定し又は固定を解除するように構成された第２固定具と、
を備え
前記天板は、平面視において、凹部を有するＵの字形状であり、前記回転板は、前記回転軸を回転中心として回転することにより、平面視における該天板の該凹部内である前記天板の前方に突出する多機能机。